(57)【要約】【課題】非接触通信システムに利用されるＩＣタグのような通信モジュールに記憶される情報について、出力の可否を容易に変更すること。【解決手段】本発明に係るＩＣタグ１によれば、ＩＣタグ１は、個々の商品に付されるものであり、ＩＣタグ１が付される商品に関する購入前データ及び購入後データを記憶しており、金銭登録機２から制御データを受信すると、これをメモリ１７に記憶して、携帯端末３からデータ出力要求があると、メモリ１７に記憶された制御データの指示に従って携帯端末３へのデータ出力を制御する。【選択図】図１
2007094928.tif 000002
【特許請求の範囲】
【請求項１】
複数種類の情報を記憶する記憶手段と、
この記憶手段に記憶されている複数種類の情報を非接触通信システムを利用して外部機器へ出力する出力手段と、
前記記憶手段に記憶された複数種類の情報のうち出力すべき情報を指示する制御情報を、前記非接触通信システムにより入力する第１の入力手段と、
この第１の入力手段によって入力された制御情報に基づいて、前記出力手段によって出力すべき情報を制御する出力制御手段と、
を備えたことを特徴とする通信モジュール。
【請求項２】
前記複数種類の情報は夫々１以上の項目を含んでおり、
前記制御情報は、何れの項目を外部機器へ出力するかを指示する情報を含むことを特徴とする請求項１に記載の通信モジュール。
【請求項３】
前記記憶手段に新たに記憶させるべき情報を、前記非接触通信システムにより入力する第２の入力手段と、
この第２の入力手段によって入力された情報を前記記憶手段に記憶させる記憶制御手段と、
をさらに備えたことを特徴とする請求項１又は２に記載の通信モジュール。
【請求項４】
前記記憶手段に記憶され、前記出力手段により出力される情報とは、前記非接触通信システムにより取得した外部機器で用いられる通信処理に関わる情報であることを特徴とする請求項１乃至３の何れか一項に記載の通信モジュール。
【請求項５】
非接触通信システムに適用される通信装置であって、
通信対象となる通信モジュールに記憶された複数種類の情報のうち出力すべき情報を指示する制御情報を、当該非接触通信システムにより入力する入力手段を備えたことを特徴とする通信装置。
【請求項６】
予めメモリに記憶されている複数種類の情報を非接触通信システムを利用して外部機器へ出力する出力ステップと、
前記メモリに記憶された複数種類の情報のうち出力すべき情報を指示する制御情報を、前記非接触通信システムにより入力する入力ステップと、
この入力ステップにて入力された制御情報に基づいて、前記出力ステップにて出力すべき情報を制御する出力制御ステップと、
を含むことを特徴とする出力情報制御方法。
【請求項７】
コンピュータに、
複数種類の情報をメモリに記憶させる記憶機能と、
この記憶機能にて記憶されている複数種類の情報を非接触通信システムを利用して外部機器へ出力する出力機能と、
前記記憶機能にて記憶された複数種類の情報のうち出力すべき情報を指示する制御情報を、前記非接触通信システムにより入力する入力機能と、
この入力機能にて入力された制御情報に基づいて、前記出力機能にて出力すべき情報を制御する出力制御機能と、
を実現させるための出力情報制御プログラム。
【発明の詳細な説明】
【技術分野】
【０００１】
本発明は、非接触通信システムに適用される通信モジュール、通信装置、出力情報制御方法、及び、出力情報制御プログラムに関する。
【背景技術】
【０００２】
従来、商品に関する情報を提供する手段として無線ＩＣタグ（通信モジュール）が利用されるようになってきている。
【０００３】
例えば、特許文献１には、読み書き可能なＩＣチップをレシートに配置し、商品の購入やサービスの提供に伴って行われた金銭の授受についての情報を印字するとともにＩＣチップに書き込み、消費者に提供するレジスタが記載されている。
【０００４】
また、特許文献２には、個々の商品を特定するための識別記号が入力された無線ＩＣタグを個々の商品に取り付けておき、購入者が無線ＩＣタグ読取装置を用いて個々の商品に取り付けられている無線ＩＣタグからその商品に対応する識別記号を読み取ると、ネットワークを介して商品情報データベースにアクセスし、その識別記号に対応する商品の商品情報を提供するシステムが記載されている。
【特許文献１】特開２００３−２８１６３０号公報
【特許文献２】特開２００４−３６２２０５号公報
【発明の開示】
【発明が解決しようとする課題】
【０００５】
しかしながら、特許文献１においては、会計時に商品の購入やサービスの提供に伴って行われた金銭の授受についての情報をＩＣチップに書き込むため、ＩＣチップからは、商品の購入後に商品の購入やサービスの提供に伴って行われた金銭の授受についての情報を得ることしかできない。また、会計時に情報をＩＣチップに書き込むため、そのための時間を要することとなる。
【０００６】
また、特許文献２においては、無線ＩＣタグの識別記号をもとに、ネットワークを介してデータベースにアクセスし、ネットワークを介して商品情報を提供するので、無線ＩＣタグから直接情報を提供することができない。即ち、ネットワーク接続手段がなければ商品情報等の提供を受けることができない。また、商品の購入前には商品情報を、商品の購入後にはサービス情報をといったように、閲覧する情報を切り換えることができない。
【０００７】
本発明の課題は、非接触通信システムに利用されるＩＣタグのような通信モジュールに記憶される情報について、出力の可否を容易に変更することである。
【課題を解決するための手段】
【０００８】
上記課題を解決するため、請求項１に記載の発明の通信モジュールは、
複数種類の情報を記憶する記憶手段と、
この記憶手段に記憶されている複数種類の情報を非接触通信システムを利用して外部機器へ出力する出力手段と、
前記記憶手段に記憶された複数種類の情報のうち出力すべき情報を指示する制御情報を、前記非接触通信システムにより入力する第１の入力手段と、
この第１の入力手段によって入力された制御情報に基づいて、前記出力手段によって出力すべき情報を制御する出力制御手段と、
を備えたことを特徴としている。
【０００９】
請求項２に記載の発明は、請求項１に記載の発明において、
前記複数種類の情報は夫々１以上の項目を含んでおり、
前記制御情報は、何れの項目を外部機器へ出力するかを指示する情報を含むことを特徴としている。
【００１０】
請求項３に記載の発明は、請求項１又は２に記載の発明において、
前記記憶手段に新たに記憶させるべき情報を、前記非接触通信システムにより入力する第２の入力手段と、
この第２の入力手段によって入力された情報を前記記憶手段に記憶させる記憶制御手段と、
をさらに備えたことを特徴としている。
【００１１】
請求項４に記載の発明は、請求項１乃至３の何れか一項に記載の発明において、
前記記憶手段に記憶され、前記出力手段により出力される情報とは、前記非接触通信システムにより取得した外部機器で用いられる通信処理に関わる情報であることを特徴としている。
【００１２】
請求項５に記載の発明は、
非接触通信システムに適用される通信装置であって、
通信対象となる通信モジュールに記憶された複数種類の情報のうち出力すべき情報を指示する制御情報を、当該非接触通信システムにより入力する入力手段を備えたことを特徴としている。
【００１３】
請求項６に記載の発明の出力情報制御方法は、
予めメモリに記憶されている複数種類の情報を非接触通信システムを利用して外部機器へ出力する出力ステップと、
前記メモリに記憶された複数種類の情報のうち出力すべき情報を指示する制御情報を、前記非接触通信システムにより入力する入力ステップと、
この入力ステップにて入力された制御情報に基づいて、前記出力ステップにて出力すべき情報を制御する出力制御ステップと、
を含むことを特徴としている。
【００１４】
請求項７に記載の発明は、
コンピュータに、
複数種類の情報をメモリに記憶させる記憶機能と、
この記憶機能にて記憶されている複数種類の情報を非接触通信システムを利用して外部機器へ出力する出力機能と、
前記記憶機能にて記憶された複数種類の情報のうち出力すべき情報を指示する制御情報を、前記非接触通信システムにより入力する入力機能と、
この入力機能にて入力された制御情報に基づいて、前記出力機能にて出力すべき情報を制御する出力制御機能と、
を実現させるための出力情報制御プログラムであることを特徴としている。
【発明の効果】
【００１５】
請求項１、５、６、及び７に記載の発明によれば、非接触通信システムを介して、記憶手段に記憶された複数種類の情報のうち出力すべき情報を指示する制御情報を入力し、この入力された制御情報に基づいて、出力すべき情報を制御する。
従って、非接触通信システムによって出力される情報の出力の可否を容易に変更することが可能となる。
【００１６】
請求項２に記載の発明によれば、請求項１に記載の発明に加え、複数種類の情報の夫々の項目について、出力される情報の出力の可否を容易に変更することが可能となる。
【００１７】
請求項３に記載の発明によれば、請求項１または２に記載の発明に加え、新たに記憶させるべき情報を、非接触通信システムにより入力して、記憶させることができるので、新規の情報を非接触通信システムを利用して書き込むことができる。
【００１８】
請求項４に記載の発明によれば、請求項１乃至３の何れか一項に記載の発明に加え、出力される情報が、外部機器で用いられる通信処理に関わる情報であるので、外部機器の通信処理を制御する情報についても出力の可否を容易に変更することが可能となる。
【発明を実施するための最良の形態】
【００１９】
以下、図を参照して、本発明の実施形態を詳細に説明する。
まず、構成を説明する。
【００２０】
図１は、商品情報提供システム１００の全体構成を示す概念図である。図１に示すように、商品情報提供システム１００は、ＩＣタグ１と、金銭登録機２と、携帯端末３とを備えて構成されている。ＩＣタグ１は、店舗内の各商品に取り付けられた通信モジュールである。金銭登録機２は、ＩＣタグ１に対応するリーダライタ２４を有しており、このリーダライタ２４を介して非接触状態でＩＣタグ１と無線により情報の送受信（非接触通信）を行い、ＩＣタグ１に対して情報の書き込み及び読み出しを行う。携帯端末３は、後述するようにＩＣタグ１に対応するリーダを内蔵しており、このリーダを介して非接触状態でＩＣタグ１と無線により情報の送受信を行い、ＩＣタグ１からの情報の読み出しを行い、読み出した情報を表示部に表示する。
【００２１】
以下、商品情報提供システム１００を構成する各装置について説明する。
【００２２】
ＩＣタグ１は、図２に示すように、送受信部１２、電源部１３、ＣＰＵ１４、ＲＯＭ１５、ＲＡＭ１６、メモリ１７等を備えた1つ以上のＩＣチップで構成される非接触ＩＣチップ１０と、アンテナ１１等と、を備えて構成されている。
【００２３】
アンテナ１１は、コイルアンテナを備え、ＩＣタグ１に対応する外部のリーダ又はリーダライタ、例えば、金銭登録機２のリーダライタ２４又は携帯端末３に備えられたリーダ３０９からの電波信号を受信する。また、アンテナ１１は、送受信部１２から入力された信号をリーダ又はリーダライタに送信する。なお、ＩＣタグ１に適用される非接触通信方式（電磁誘導方式、マイクロ波方式等）は特に限定されない。
【００２４】
送受信部１２は、アンテナ１１を介してＩＣタグ１に対応するリーダ又はリーダライタから受信した信号を復調し、復調により得られた情報をＣＰＵ１４に出力する。また、送受信部１２は、ＣＰＵ１４によりメモリ１７から読み出された情報を変調増幅し、アンテナ１１に出力する。
【００２５】
電源部１３は、アンテナ１１を介してリーダ又はリーダライタから受信した電波信号を電力に変換し、ＩＣタグ１の各部への電源供給を行う。
【００２６】
ＣＰＵ（Central Processing Unit）１４は、ＲＯＭ（Read Only Memory）１５に記憶されている制御プログラムを読み出し、ＲＡＭ(Random Access Memory)１６内に形成されたワークエリアに展開し、該制御プログラムに従ってＩＣタグ１の各装置、各部を制御し、外部機器との通信の確立、外部機器から出力要求された情報の読み出し及び送信、外部機器から書き込み要求された受信情報の書き込みを行う。例えば、ＣＰＵ１４は、金銭登録機２からの接続要求が受信されると、通信を確立し、金銭登録機２からの商品コード及び購入後データの送信要求に従って、メモリ１７から商品コード及び購入後データを読み出して金銭登録機２に送信する。また、ＣＰＵ１４は、金銭登録機２から購入前データ又は購入後データが受信されると、受信された情報を所定の購入前データ領域１７１又は購入後データ領域１７２に書き込んで記憶させる。また、金銭登録機２から制御データ（制御情報）が受信されると、受信された情報を制御データ領域１７３に書き込んで記憶させる。更に、ＣＰＵ１４は、携帯端末３のリーダからの接続要求が受信されると、通信を確立し、金銭登録機２からの出力要求に従って、制御データにより指示された情報を読み出して携帯端末３に出力する出力制御を行う。
【００２７】
ＲＯＭ１５は、ＩＣタグ１に対応する制御プログラム、各種処理プログラム及びこれらのプログラムで利用する各種情報等を予め記憶する。
ＲＡＭ１６は、ＣＰＵ１４により実行される各種プログラム、各処理において処理中の情報、処理結果などを一時的に格納するワークエリアを形成する。
【００２８】
メモリ１７は、電気的に内容を消去したり書き換えたりすることができる、半導体の不揮発性メモリ等で構成され、ＣＰＵ１４から書き込まれた各種情報を記憶する。図３（ａ）は、メモリ１７の記憶領域の詳細を示す図である。同図において、メモリ１７は、購入前データ領域１７１、購入後データ領域１７２、制御データ領域１７３、および、商品コード記憶領域１７４を有し、ＣＰＵ１４からの書き込み動作に応じて、金銭登録機２のリーダライタ２４から送信された購入前データを購入前データ領域１７１に、また、購入後データを購入後データ領域１７２に、さらに、制御データを制御データ領域１７３に記憶する。
【００２９】
購入前データ記憶領域１７１に記憶される購入前データは、図３（ａ）に示すように商品名「携帯ミュージックプレーヤーＡ」、型番「２１１５」、発売日「２００５／３／２５」、スペックとして、表示「１２文字×５桁」、容量「１０ＧＢ」、価格「￥１９，８００」等の情報より構成される。
一方、購入後データ記憶領域１７２の購入後データは、主にＩＣタグ１が取り付けられた商品に関する購入後のサービス情報が含まれ、購入日、購買店舗、アフターサービスの問い合わせ先として、購入店舗電話番号、メーカー電話番号、メーカーメールアドレス、メーカーサポートＵＲＬ（Uniform Resource Locator）等の情報より構成される。
制御データ記憶領域１７３の制御データは、外部のリーダ（例えば、携帯端末３のリーダ３０９等）からのデータ送信要求があった場合に、メモリ１７に記憶されている購入前データ及び購入後データのうち何れを出力すべきかを指示する情報を含む。この制御データは、フラグ情報（フラグＡ、フラグＢ）により構成されており、フラグＡに「１」がセットされている項目については、外部のリーダがかざされることにより読み出され、出力される。
【００３０】
本実施の形態においては、金銭登録機２のリーダライタ２４又はその他店舗のＰＣ等が備えるリーダライタにより、店舗内の各商品に取り付けられたＩＣタグ１におけるメモリ１７の購入前データ記憶領域１７１、制御データ記憶領域１７３、商品コード記憶領域１７４の各領域には、予め各項目に対応する情報の内容が記憶されているものとする。
【００３１】
金銭登録機２は、図４に示すように、ＣＰＵ２１、入力部２２、表示部２３、リーダライタ２４、音声出力部２５、ＲＡＭ２６、記憶部２７、印刷装置２８、ドロア２９等を備えて構成されている。
【００３２】
ＣＰＵ２１は、記憶部２７に記憶されているシステムプログラムを読み出し、ＲＡＭ２６内に形成されたワークエリアに展開し、該システムプログラムに従って金銭登録機２の各装置、各部を制御する。また、ＣＰＵ２１は、記憶部２７に記憶されている会計時処理プログラムを始めとする各種処理プログラムを読み出してワークエリアに展開し、後述する会計時処理における金銭登録機２側の処理を始めとする各種処理を実行する。
【００３３】
入力部２２は、モードキー、テンキー、ファンクションキー、担当者キー等を備え、各キー操作に応じた操作信号をＣＰＵ２１に出力する。
【００３４】
表示部２３は、ＬＣＤ（Liquid Crystal Display）等により構成され、ＣＰＵ２１から入力される各種指示に従って各種演算結果等の表示を行う。
【００３５】
リーダライタ２４は、アンテナ、送受信部、リーダライタ制御部、インターフェース（何れも図示せず）等を備えて構成され、所定のプロトコルに基づきＩＣタグ１との通信を確立してデータ送受信を行い、ＩＣタグ１へのデータの書き込み及び読み出しを行う。
【００３６】
音声出力部２５は、ＣＰＵ２１からの指示に応じて報知音を出力する。
【００３７】
ＲＡＭ２６は、ＣＰＵ２１により実行されるシステムプログラム、各種処理プログラム、各処理において処理中のデータ、処理結果などを一時的に格納するワークエリアを形成する。
【００３８】
記憶部２７は、磁気的、光学的記録媒体、若しくは半導体等の不揮発性メモリで構成されており、金銭登録機２に対応するシステムプログラム、会計時処理プログラムをはじめとする各種処理プログラム、これらのプログラムで利用する各種情報等を予め記憶する。
【００３９】
また、記憶部２７は、ＩＣタグ情報ファイル２７１及び売上データファイル２７２を記憶している。
図５は、ＩＣタグ情報ファイル２７１の情報格納例を示す図であるが、基本的に図３（ａ）にて示された項目、および、情報の内容に沿っている。詳細には、図５に示すように、ＩＣタグ情報ファイル２７１は、店舗内の各商品の商品コードと、その商品に関する購入前データ及び購入後データとを対応付けて記憶する。  売上データファイル２７２は、各商品の商品コードに対応付けて、その単価、売上個数、売上金額等を記憶する。
【００４０】
なお、ＩＣタグ情報ファイル２７１の内容に変更や追加があった場合、入力部２２を介して変更又は追加すべき情報が入力されると、ＩＣタグ情報ファイル２７１の内容が入力された情報に更新される。或いは、金銭登録機２を通信ネットワークを介してＰＣ（Personal Computer）等のサーバに接続可能な構成とし、情報の追加や変更はＰＣ等のサーバにおいて行い、サーバにおいて情報の変更及び追加が行われる毎に、自動的にＩＣタグ情報ファイル２７１の内容が最新のものに書き換えられるようにしてもよい。
【００４１】
印刷装置２８は、例えば、サーマルプリンタであり、レシート用、ジャーナル用（商品登録内容の記録用）のロール紙を有し、ＣＰＵ２１から入力される指示に従って、各ロール紙に対して各種売上データ、小計データ等の金額データを売上明細として印刷する。
ドロア２９は、現金を収納する引出しである。
【００４２】
携帯端末３は、図６に示すように、アンテナ３０１、無線通信部３０２、音声処理部３０３、受話スピーカ３０４、送話マイク３０５、ＣＰＵ３０６、表示部３０７、入力部３０８、リーダ３０９、鳴音駆動部３１０、スピーカ３１１、メールプログラム領域３１３、Ｗｅｂブラウザプログラム領域３１４、非接触通信プログラム領域３１５を含むプログラムメモリ３１２、ＲＡＭ３１６を備える。
【００４３】
無線通信部３０２は、アンテナ３０１を介して図示しない無線基地局から受信した無線通信信号を復調処理し、復調したベースバンド信号（デジタル信号）から通信制御データ、通信データ、パケットデータ等を取得する。この通信データは、音声処理部３０３を介してアナログ音声信号に変換され受話スピーカ３０４に出力される。また、前記パケットデータは、ＣＰＵ３０６に読み込まれ、一時記憶メモリであるＲＡＭ３１６に出力される。一方、送話マイク３０５より入力されたアナログ音声信号が音声処理部３０３で所定のアルゴリズムによりコード化され通信データとして無線通信部３０２に出力されると、無線通信部３０２は、通信データに通信制御データ等を付加したベースバンド信号（デジタル信号）を変調処理し、アンテナ３０１を介して図示しない無線基地局に送信する。
【００４４】
音声処理部３０３は、無線通信部３０２を介して入力された通信データを音声データにデコードし、さらにアナログ音声信号に変換したのち、受話スピーカ３０４を介して出力する一方、送話マイク３０５を介して入力されたアナログ音声信号をコード化処理して通信データに変換して無線処理部３０２へ出力する。
【００４５】
ＣＰＵ３０６は、プログラムメモリ３１２に記憶されている各種プログラムのうちの指定されたプログラムを読み出し、ＲＡＭ３１６のワークエリアに展開し、上記プログラムとの協働によって各種処理を実行し、その処理結果をＲＡＭ３１６の所定の領域に格納するとともに、表示部３０７に表示させる。
【００４６】
表示部３０７は、各種プログラムの処理により得られた表示データを表示する。
入力部３０８はオンフックキー、オフフックキー、テンキー、センターキー、カーソルキー等を備え、ＣＰＵ３０６はこれらのキー操作を検出することにより、各回路部を制御する。
【００４７】
リーダ３０９は、非接触通信プログラムが起動することによりＩＣタグ１からの情報を読み取る。ＣＰＵ３０６は、その読み取り結果を、一時記憶メモリであるＲＡＭ３１６に記憶させるとともに、表示部３０７に表示する。
【００４８】
鳴音駆動部３１０は、携帯端末３の着信時等にＣＰＵ３０６からの鳴音指示により鳴音信号をスピーカ３１１に出力し、鳴音によりユーザに通話やメールの着信等を報知する。
【００４９】
プログラムメモリ３１２は、メールプログラム領域３１３、Ｗｅｂブラウザプログラム領域３１４、非接触通信プログラム領域３１５等を含む。
ＲＡＭ３１６は、ＣＰＵ３０６により実行される各種プログラム及びこれらプログラムに係わるデータを一時的に記憶するワークエリアを形成する。
【００５０】
次に、本実施形態の動作について説明する。
図７は、金銭登録機２のＣＰＵ２１により実行される会計時処理の動作及び会計時処理において金銭登録機２からの接続要求に応じて実行されるＩＣタグ１の動作を示すフロー図である。会計時処理は、金銭登録機２の操作者により入力部２２の所定キーが押下された際に開始される。なお、ここでいうＩＣタグ１は、会計時に顧客により金銭登録機２のところへ持ち運ばれた商品に取り付けられたものを指す。
【００５１】
まず、金銭登録機２において、操作者がＩＣタグ１をリーダライタ２４にかざすと、リーダライタ２４によりＩＣタグ１への接続要求が行われる（ステップＳ１）。ＩＣタグ１において、リーダライタ２４からの接続要求が受信されると、リーダライタ２４に対して接続応答が送信され、通信の確立が行われる（ステップＳ２）。ＩＣタグ１との通信接続が確立すると、金銭登録機２においては、音声出力部２５により通信開始を報知するための報知音が出力される（ステップＳ３）。
【００５２】
次いで、リーダライタ２４を介して、ＩＣタグ１に対し商品コード及び購入後データの送信要求が行われる（ステップＳ４）。ＩＣタグ１においては、この送信要求が受信されると、メモリ１７の商品コード領域１７４から商品コードが、購入後データ領域１７２から購入後データが読み出され、リーダライタ２４に対して送信される（ステップＳ５）。
【００５３】
リーダライタ２４を介して、商品コード及び購入後データが受信されると、受信された購入後データがＲＡＭ２６に一時的に記憶される（ステップＳ６）。また、受信された商品コードにより商品登録処理が行われ、売上データファイル２７２が更新されるとともに、商品コード、金額等が印刷装置２８によりレシート及びジャーナルに印刷される（ステップＳ７）。
【００５４】
商品登録処理が終了すると、ＩＣタグ１から受信された商品コードに対応する購入後データがＩＣタグ情報ファイル２７１から読み出され、ＩＣタグ１から受信された購入後データとの比較が行われる（ステップＳ８）。  比較の結果、データが一致すると判断された場合（ステップＳ９；ＹＥＳ）、処理はステップＳ１２に移行する。比較の結果、データが一致しないと判断された場合（ステップＳ９；ＮＯ）、リーダライタ２４を介して、ＩＣタグ情報ファイル２７１から読み出された購入後データがＩＣタグ１に送信され、当該購入後データの書き込み要求が行われる（ステップＳ１０）。
【００５５】
ＩＣタグ１においては、新たな購入後データが受信されると、受信された購入後データがメモリ１７の購入後データ領域１７２に書き込まれ、記憶される（ステップＳ１１）。
【００５６】
ステップＳ１２においては、表示部２３に、ＩＣタグ１から外部に出力すべきデータの指定を促す表示が表示され、入力部２２により、出力すべきデータの指定情報の入力が行われると（ステップＳ１２）、入力された指定情報に対応する制御データがリーダライタ２４を介してＩＣタグ１に送信され、当該制御データの書き込み要求が行われる（ステップＳ１３）。ＩＣタグ１から外部に出力すべきデータの指定情報の入力は、例えば、各制御データとその制御データが指示する内容とを対応付けて表示部２３に表示し、操作者に購入者の要望に応じた制御データをテンキーにより入力させることにより行うことができる。また、各制御データが指示する内容のみを表示部２３に表示し、表示された内容の中から購入者の要望に応じた内容をカーソルキー等により操作者に選択させるようにしてもよい。ＩＣタグ１においては、制御データが受信されると、受信された制御データがメモリ１７の制御データ領域１７３に書き込まれる（ステップＳ１４）。
【００５７】
ここで、例えば、入力部２２から、ＩＣタグ１が購入後データを出力するように指示する制御データ（フラグＡをセットする情報）が入力されると、ＩＣタグ１の制御データがこの制御データに書き換えられる。ＩＣタグ１は、制御データに従って外部のリーダに対しデータを送信するので、ＩＣタグ１が以後その商品のサービス情報を提供するように制御することが可能となる。
【００５８】
ＩＣタグ１への制御データの送信が終了すると、ＩＣタグ１に対し、接続解除が通知され（ステップＳ１５）、音声出力部２５から通信終了の報知音が出力され（ステップＳ１６）、本処理は終了する。
【００５９】
次に、携帯端末３においてＩＣタグ１から情報を読み出して表示する際の動作について説明する。
図８は、携帯端末３の非接触通信プログラムが起動されることにより、ＣＰＵ３０６が実行するＩＣタグ１からのデータ取得処理の動作、及び、このデータ取得処理における携帯端末３からの接続要求に応じて実行されるＩＣタグ１のデータ出力処理の動作を示すフローチャートである。携帯端末３のデータ取得処理は、携帯端末３の操作者により、携帯端末３の入力部の所定キーが押下された際に開始される。
【００６０】
携帯端末３において、着信待受状態であるときに、ユーザによる入力部３０８への所定の操作が検知されると、プログラムメモリ３１２の非接触通信プログラム領域３１５に格納された同プログラムがＲＡＭ３１６にロードされて、ＣＰＵ３０６により実行されることにより、ＩＣタグリーダモードが起動され、まず表示部３０７にて、「認識対象にかざしてください」等のガイダンス表示が行われる（ステップＳ２１）。ユーザが携帯端末３をＩＣタグ１にかざすと、リーダ３０９によりＩＣタグ１への接続要求が行われる（ステップＳ２２）。ＩＣタグ１において、携帯端末３のリーダ３０９からの接続要求が受信されると、携帯端末３のリーダ３０９に対して接続応答が送信される（ステップＳ２３）。
【００６１】
携帯端末３においては、ＩＣタグ１からの接続応答が受信されてＩＣタグ１との通信接続が確立すると（ステップＳ２４；ＹＥＳ）、ＩＣタグ１に対し、リーダ３０９を介してデータ出力要求が送信される（ステップＳ２５）。ＩＣタグ１からの接続応答を受信できずＩＣタグ１との通信接続が確立できない場合（ステップＳ２４；ＮＯ）、ステップＳ２２に戻り、再度、リーダ３０９によりＩＣタグ１への接続要求が行われる。
【００６２】
ＩＣタグ１において、携帯端末３からのデータ出力要求が受信されると、次の処理が実行される。即ち、メモリ１７の制御データ領域１７３が参照され、この制御データ領域１７３に格納された制御データ（フラグＡ）により出力指示された項目のデータ及び制御データ（フラグＢ）がメモリ１７から読み出される（ステップＳ２６）。そして、読み出されたデータ及び制御データ（フラグＢ）が携帯端末３のリーダ３０９に送信され、出力される（ステップＳ２７）。
【００６３】
携帯端末３において、リーダ３０９を介してＩＣタグ１からの出力データが受信されると、受信された出力データがＲＡＭ３１６に一時的に記憶されるとともに（ステップ２８）、リーダ３０９を介してＩＣタグ１に対し接続解除が通知される（ステップＳ２９）。そして、ステップ２８においてＲＡＭ３１６に一時的に記憶された出力データが表示部３０７に表示され（ステップＳ３０）、本処理は終了する。
【００６４】
図９は、図８のステップＳ３０において実行されるＩＣタグ情報表示を示すフローチャートである。
ＩＣタグ１から受信した出力データの中に表示すべき情報があるときは、当該表示すべき情報が表示部３０７に表示される（ステップＳ３１）。入力部３０８のカーソルキーの上方向及び下方向の操作が検出されると、検出結果に応じて表示画面上のカーソル位置が移動される（ステップＳ３２）。表示すべき情報が一画面で表示できない場合は、入力部３０８の操作に応じて表示画面がスクロールされ、未表示の情報が表示される（ステップＳ３３）。
【００６５】
図１０（ａ）乃至（ｄ）はステップＳ３１〜３３における表示状態を示すものであり、（ａ）は購入前、例えば、店頭で陳列されている状態でその商品に付けられているＩＣタグ１に携帯端末３をかざしたときの表示状態、（ｂ）は購入後、例えば、金銭登録機２にて支払いを済ませた後にＩＣタグ１に携帯端末３をかざしたときの表示状態、（ｃ）は（ｂ）をスクロールして最終部分の情報までを表示させたときの表示状態、（ｄ）はメールアドレス上にカーソルを移動したときの表示状態を示すものである。
【００６６】
図１０（ａ）と（ｂ）との表示内容の差異は、図３（ａ）及び（ｂ）の、ＩＣタグ１のメモリ１７の購入前データ記憶領域１７１、購入後データ記憶領域１７２の記憶内容に基づいている。
すなわち、購入前の図１０（ａ）の表示状態は、図３（ａ）の記憶内容に合致し、制御データ記憶領域１７３において、フラグＡに「１」がセットされている項目、すなわち商品コード「１２２５６９８４」、商品名「携帯ミュージックプレーヤーＡ」、型番「２１１５」、発売日「２００５／３／２５」、スペックとして、表示「１２文字×５桁」、容量「１０ＧＢ」、価格「￥１９，８００」等の情報が表示される。なお、図１０（ａ）の表示状態はこれらの情報を一画面で表示できない場合を想定しており、この場合は表示部３０７の右側端部にスクロールアイコン３１７を表示させることによりユーザに対し未だ情報がある旨を報知し、さらにカーソルキーの下方向の操作を検出することで、次の情報を表示させるようにしている。
【００６７】
また、購入後の図１０（ｂ）の表示状態は、図３（ｂ）の記憶内容に合致し、購入後データ記憶領域１７２に情報が記憶され、かつ、制御データ記憶領域１７３において、フラグＡに「１」がセットされた項目、すなわち、商品名「携帯ミュージックプレーヤーＡ」、型番「２１１５」、発売日「２００５／３／２５」、表示「１２文字×５桁」、容量「１０ＧＢ」、価格「￥１９，８００」、購入日、購入店舗、購入店電話番号、メーカー電話番号、メーカーメールアドレス、メーカーサポートＵＲＬ等の情報が表示される。なお、図１０（ｂ）についても一画面で表示できない場合を想定しており、この場合は表示部３０７の右側端部にスクロールアイコン３１７を表示させることによりユーザに対し未だ情報がある旨を報知し、さらにカーソルキーの下方向の操作を検出することで、次の情報を表示させるようにしている。
【００６８】
図１０（ｃ）は、スクロール操作を検出し、最終部分の情報までを表示させた状態を示している。この状態において、当該携帯端末３にて利用できる情報（例えば、無線通信システムを用いて外部とのデータ送信が可能になる情報）については、下線が表示され、ユーザの選択及び決定操作により通信処理が可能になっている。
図１０（ｄ）は、カーソルキーの上方向及び下方向の操作を検出し、表示画面上のカーソル位置を移動させることにより、メールアドレスの表示位置にカーソルを置いたときの表示状態を示している。この状態で決定操作を検出することによりメールプログラムを起動する。
すなわち図９のフローチャートのステップＳ３４において、メールアドレスの表示位置にカーソルを置いた状態でセンターキー（決定操作を行うためのキー）が押下されたか否かが検出されることにより、メールアドレスが選択されたか否かが判断される。
【００６９】
ステップＳ３４において、メールアドレスの表示位置にカーソルを置いた状態でセンターキーが押下され、メールアドレスが選択された場合は（ステップＳ３４；ＹＥＳ）、メールプログラム記憶領域３１３に記憶されている同プログラムがロードされて起動され、表示部３０７に新規メール作成画面が表示され（ステップＳ４５）、ステップＳ３４で選択したメールアドレスがメール宛先に挿入される（ステップＳ４６）。また、ＲＡＭ３１６に一時記憶された情報のうち、例えば、図３のように制御データ記憶領域１７３においてフラグＢに「１」がセットされた情報、すなわち、商品名「携帯ミュージックプレーヤーＡ」、型番「２１１５」、購入日、購入店舗の各情報の内容が本文に貼り付けられる（ステップＳ４７）。図１０（ｅ）はこのときの表示部３０７の表示状態を示すものであり、メール本文には、フラグＢに「１」がセットされた情報が記入されている。この後、ユーザの操作によりメール編集処理が行われ（ステップＳ４８）、メール編集中に入力部３０８からのキャンセル指示の操作が検出された場合は（ステップＳ４９；ＹＥＳ）、ステップＳ３１に戻り、再びＩＣタグ１の出力データの表示が行われる。メール編集中に入力部３０８からのキャンセル操作が検出されない場合は（ステップＳ４９；ＮＯ）、さらに、入力部３０８にからのメール作成完了による送信指示の操作が検出されたか否かが判断される（ステップＳ５０）。送信指示が検出されなければ（ステップＳ５０；ＮＯ）、ステップＳ４８に戻り、メールの編集が行われる。一方、メール作成完了による送信指示が検出された場合は（ステップＳ５０；ＹＥＳ）、メール送信が行われ（ステップＳ５１）、さらに、ステップＳ３１に戻り、再びＩＣタグ１からの出力データの表示が行われる。このようにすることにより、例えば、購入した商品についてメーカーにメールで問い合わせたい場合、購入した商品についてユーザが一から入力することなく、簡単に問い合わせのメールを作成することができる。
【００７０】
ステップＳ３４において、表示画面のメールアドレスの位置にカーソルを置いた状態でセンターキーが押下されることがなく、メールアドレスが選択されなかった場合は（ステップＳ３４；ＮＯ）、次に、電話番号の表示位置にカーソルを置いた状態で通話ボタンが押下されたか否かが検出されることにより、電話番号が選択されたか否かが判断される（ステップＳ３５）。
【００７１】
ステップＳ３５において、電話番号の表示位置にカーソルがある状態で通話ボタンが押下され、電話番号が選択された場合は（ステップＳ３５；ＹＥＳ）、この電話番号宛ての発信処理が行われ（ステップＳ４１）、さらに、通話処理が開始される（ステップＳ４２）。つまり、ユーザは、携帯端末３を用いて、例えば、メーカー等に電話をかけて、通話を行う。ステップＳ４２において、通話処理が実行されると、通話が終了したか否かが判定され（ステップＳ４３）,通話が終了した場合（ステップＳ４３；ＹＥＳ）、通話切断が行われ（ステップＳ４４）、さらに、ステップＳ３１に戻り再びＩＣタグの出力データの表示が行われる。ステップＳ４３において、通話が終了していなければ（ステップＳ４３；ＮＯ）、再びステップＳ４２に戻り通話処理が行われる。
【００７２】
ステップＳ３５において、電話番号の表示位置にカーソルを置いた状態で通話ボタンが押下されることなく、電話番号が選択されなかった場合は（ステップＳ３５；ＮＯ）、次に、ＵＲＬの表示位置にカーソルを置いた状態でセンターキーが押下されたか否かが検出されることにより、ＵＲＬが選択されたか否かが判断される（ステップＳ３６）。
【００７３】
ステップＳ３６において、ＵＲＬの表示位置にカーソルを置いた状態でセンターキーが押下され、ＵＲＬが選択された場合は（ステップＳ３６；ＹＥＳ）、Ｗｅｂブラウザプログラム記憶領域３１４に記憶されている同プログラムがロードされて起動され（ステップＳ３８）、ステップＳ３６で選択されたＵＲＬがアドレス欄に挿入され（ステップＳ３９）、このＵＲＬで特定される外部のサーバに無線通信ネットワークを介して接続することによりＷｅｂ閲覧が行われ（ステップＳ４０）、その後、ステップＳ３１に戻り、再びＩＣタグの出力データの表示が行われる。
【００７４】
ステップＳ３６において、ＵＲＬの表示位置にカーソルを置いた状態でセンターキーが押下されることなく、ＵＲＬが選択されなかった場合は（ステップＳ３６；ＮＯ）、入力部３０８における当該ＩＣタグ情報表示のキャンセル指示、すなわち、当該ＩＣタグ情報表示の終了が検出されたか否かが判断され（ステップＳ３７）、当該ＩＣタグ情報表示の終了が検出された場合はＲＡＭ３１６がクリアされ当該ＩＣタグ情報表示が終了される（ステップＳ３７；ＹＥＳ）。当該ＩＣタグ情報表示の終了が検出されない場合はステップＳ３２に戻る（ステップＳ３７；ＮＯ）。
【００７５】
以上説明したように、ＩＣタグ１のＣＰＵ１４は、ＩＣタグ１が付される商品に関する購入前データ及び購入後データをメモリ１７に記憶しており、金銭登録機２から制御データを受信すると、これをメモリ１７の制御データ領域１７３に記憶し、携帯端末３からのデータ出力要求に対し、制御データ領域１７３に記憶されている制御データにより指示されたデータをメモリ１７から読み出して出力する制御を行う。従って、店舗内の商品に取り付けられたＩＣタグ１に対し、購入前データの出力を指示する制御データを予め書き込んでおくことにより、図１０（ａ）に示すように、商品情報である購入前データを提供することができ、顧客が商品の購入前に商品購入意思決定の参考とすることが可能となる。また、上記会計時処理において、ＩＣタグ１に購入後データの出力を指示する制御データを書き込み、ＩＣタグ１から提供する情報、すなわち、ＩＣタグ１から出力可能な情報をサービス情報に変更することにより、図１０（ｂ）、（ｃ）に示すように、商品を購入した顧客がＩＣタグ１からその商品に対するサービス情報を取得することが可能となる。
【００７６】
また、ＩＣタグ１の情報は、リーダを備えた携帯端末３から他人が容易にアクセス可能であるが、顧客によっては、購入店や購入年月日などを含むサービス情報の提供を希望しない場合もある。このような場合は、会計時処理において、ＩＣタグ１に購入前及び購入後の何れのデータも出力しないことを指示する制御データを書き込むことにより、ＩＣタグ１によるサービス情報の提供を禁止することが可能となる。  
【００７７】
このようなＩＣタグ１における出力データの変更は、フラグ情報の変更を行うだけで容易に行うことができるので、従来のように、出力するデータを変更する際に変更後の出力データを新たにＩＣタグ１に書き込む必要がなくなる。また、サーバへのネットワーク接続などを行うことなく、ＩＣタグ１から携帯端末３に対してデータ提供を行うことが可能となる。
【００７８】
また、ＩＣタグ１から出力される情報、例えば、購入後データに、アフターサービスの問い合わせ先としての電話番号、メールアドレス、ＵＲＬ等の、携帯端末３で用いられる通信処理に関わる情報が含まれているので、外部機器の通信処理に関する情報についての出力の可否を容易に変更することが可能となる。
【００７９】
なお、上記実施の形態における記述内容は、本発明に係る商品情報提供システム１００の好適な一例であり、これに限定されるものではない。
【００８０】
例えば、上記実施の形態においては、金銭登録機２の記憶部２７にＩＣタグ情報ファイル２７１を記憶しておくこととしたが、金銭登録機２に通信ケーブル等により直接接続された外部記憶装置にＩＣタグ情報ファイルを記憶しておき、そこから商品コードに応じてデータを読み出すようにしてもよい。また、金銭登録機２を通信ネットワークを介してサーバに接続可能な構成とし、通信ネットワークを介して、サーバに記憶されたＩＣタグ情報ファイルから商品コードに応じてデータを読み出すようにしてもよい。
【００８１】
その他、商品情報提供システム１００を構成する各装置の細部構成及び細部動作に関しても、本発明の趣旨を逸脱することのない範囲で適宜変更可能である。
【図面の簡単な説明】
【００８２】
【図１】本発明に係る商品情報提供システム１００の全体構成を示す図である。
【図２】ＩＣタグ１の機能的構成を示すブロック図である。
【図３】ＩＣタグ１のメモリ１７の記憶内容を示す図であり、（ａ）は購入前、（ｂ）は購入後を示すものである。
【図４】金銭登録機２の機能的構成を示すブロック図である。
【図５】ＩＣタグ情報ファイル２７１のデータ格納例を示す図である。
【図６】携帯端末３の機能的構成を示すブロック図である。
【図７】金銭登録機２のＣＰＵ２１において実行される会計時処理の動作及び会計時処理において金銭登録機２からの接続要求に応じて実行されるＩＣタグ１の動作を示すフローチャートである。
【図８】携帯端末３のＣＰＵにおいて実行されるデータ出力処理の動作及びデータ出力処理において携帯端末３からの接続要求に応じて実行されるＩＣタグ１の動作を示すフローチャートである。
【図９】ＩＣタグ情報表示のフローチャートである。
【図１０】図９のＩＣタグ情報表示において携帯端末３の表示部３０７に表示される画面例を示す図であり、（ａ）は購入前データを出力した場合の画面例、（ｂ）、（ｃ）は購入後データを出力した場合の画面例、（ｄ）は購入後データのメールアドレス上にカーソルがある場合の画面例、（ｅ）はメールプログラムの起動後の画面例を示す図である。
【符号の説明】
【００８３】
１００  商品情報提供システム
１  ＩＣタグ（通信モジュール）
２  金銭登録機（通信装置）
３  携帯端末（外部機器）
１０  非接触ＩＣチップ
１１  アンテナ（出力手段、第１の入力手段、第２の入力手段）
１２  送受信部（出力手段、第１の入力手段、第２の入力手段）
１３  電源部
１４  ＣＰＵ（出力制御手段、記憶制御手段）
１５  ＲＯＭ
１６  ＲＡＭ
１７  メモリ（記憶手段、メモリ）
１７１  購入前データ領域
１７２  購入後データ領域
１７３  制御データ領域
１７４  商品コード領域
２１  ＣＰＵ
２２  入力部
２３  表示部
２４  リーダライタ（入力手段）
２５  音声出力部
２６  ＲＡＭ
２７  記憶部
２７１  ＩＣタグ情報ファイル
２７２  売上データファイル
２８  印刷装置
２９  ドロア  
３０１  アンテナ
３０２  無線通信部
３０３  音声処理部
３０４  受話スピーカ
３０５  送話マイク
３０６  ＣＰＵ
３０７  表示部
３０８  入力部
３０９  リーダ
３１０  鳴音駆動部
３１１  スピーカ
３１２  プログラムメモリ
３１３  メールプログラム領域
３１４  Ｗｅｂブラウザプログラム領域
３１５  非接触通信プログラム領域
３１６  ＲＡＭ
３１７  スクロールアイコン
【図１】
2007094928.tif 000003
【図２】
2007094928.tif 000004
【図３】
2007094928.tif 000005
【図４】
2007094928.tif 000006
【図５】
2007094928.tif 000007
【図６】
2007094928.tif 000008
【図７】
2007094928.tif 000009
【図８】
2007094928.tif 000010
【図９】
2007094928.tif 000011
【図１０】
2007094928.tif 000012